(57)【要約】【課題】ＣＰＡＰ機械が使用される窮屈な空間のため、水槽等を密閉するために使用される蓋または他の構成要素の操作を簡単にする。【解決手段】呼吸補助装置１００は、蓋１０４および主要本体１０２を含む。蓋１０４および主要本体１０２が選択的にキャビティを密閉する。蓋１０４がボタン部材１６２および少なくとも１つのヒンジアセンブリ１１４を含む。【選択図】図１
2020127783.tif 000002
【特許請求の範囲】
【請求項１】
蓋および主要本体を含み、前記蓋および前記主要本体が選択的にキャビティを密閉し、前記蓋がボタン部材および少なくとも１つのヒンジアセンブリを含む、呼吸補助装置。
【請求項２】
前記蓋がさらに、前記ボタン部材が押圧される間１つまたは複数の指の先端と係合されるように作られた構成要素を含む、請求項１に記載の装置。
【請求項３】
前記ボタン部材が、前記少なくとも１つのヒンジアセンブリから外方へばね付勢される、請求項１または２に記載の装置。
【請求項４】
前記少なくとも１つのヒンジアセンブリが、前記主要本体に対する前記蓋の回転移動を可能にする、請求項１〜３のいずれか一項に記載の装置。
【請求項５】
前記ヒンジアセンブリが、少なくとも１つの柱および少なくとも１つの支持部を含み、前記支持部が前記柱にのしかかり、前記柱が前記蓋の外周の内側に位置付けられる、請求項１〜４のいずれか一項に記載の装置。
【請求項６】
前記ヒンジアセンブリが、前記柱の少なくとも軸方向長さに沿って延在するクリップを含み、前記クリップは、前記柱が前記クリップと前記支持部との間に捕捉されるように、前記柱の、前記支持部と反対の側に位置付けられる、請求項５に記載の装置。
【請求項７】
前記少なくとも１つのヒンジアセンブリが案内構造およびカム構造を含み、前記案内構造および前記カム構造は、前記柱が回転する間、前記柱の滑り運動を引き起こすように構成される、請求項１〜６のいずれか一項に記載の装置。
【請求項８】
前記案内構造が案内表面を含み、使用中、前記案内表面が前記カム構造と接触し、前記蓋の閉鎖移動の結果として前記柱の前記滑り運動を介して前記蓋を前記主要本体に対して取り外された状態から取り付けられた状態へ移動する、請求項７に記載の装置。
【請求項９】
前記滑り運動は、前記蓋が前記主要本体に対して切り離された状態から係合された状態へ移動されるときだけ起きる、請求項７に記載の装置。
【請求項１０】
前記柱の前記滑り運動は、前記支持部が前記柱の上に少なくとも垂直に位置付けられ、前記蓋が閉鎖された位置にある状態で、実質的に水平である、請求項７に記載の装置。
【請求項１１】
前記少なくとも１つの支持部が開口部を画定し、前記開口部は、使用中、前記蓋を前記主要本体に対して取り外された状態から取り付けられた状態へ移動させることができるように前記少なくとも１つの柱が前記開口部を通過することを許容する、請求項５に記載の装置。
【請求項１２】
呼吸装置の蓋を開放する方法であって、前記蓋をラッチ解除するためにボタン部材を係合構成要素の方へ移動させるステップと、続いて、使用者が手の位置を変える必要なく前記蓋を開放位置へ回転させるステップとを含む方法。
【請求項１３】
蓋を呼吸装置の主要本体に係合する方法であって、前記蓋が開放位置にある状態で柱を少なくとも１つの支持部材と平行に配置するステップと、前記蓋を閉鎖位置の方へ回転させるステップであって、その結果、前記蓋に形成された少なくとも１つの係合構造と、前記主要本体に形成された少なくとも１つの係合構造とにより前記蓋は係合された構造にされ、ここで前記蓋は前記係合された構造であるが回転可能な状態であるステップとを含む方法。
【発明の詳細な説明】
【技術分野】
【０００１】
本発明は概して呼吸装置に関する。詳細には本発明は、呼吸ガスが容器中の液体の表面上を通過した後、陽圧で供給される呼吸装置に関する。
【背景技術】
【０００２】
閉鎖性睡眠中無呼吸のＣＰＡＰ療法は、加圧された通気性ガス、一般的に空気を、導管およびマスクなどの使用者インターフェースを使用して、使用者の気道に送り届けることを必要とする。ＣＰＡＰに採用されるガス圧は一般的に、使用者の条件に依存して、（使用者インターフェースで測定される）最大約１８０Ｌ／ｍｉｎの流速で、約４ｃｍＨ2Ｏから約２８ｃｍＨ2Ｏまでの範囲内にある。加圧ガスは使用者の気道の空気圧副子としての役割を果たす。従って、加圧ガスは気道がつぶれる可能性を低減する。
【発明の概要】
【発明が解決しようとする課題】
【０００３】
ＣＰＡＰ機械は、加圧ガスを供給する気道形成装置を含み、多くのＣＰＡＰ機械は、加圧ガスを加湿するための加熱水浴または他の水源を含む。ＣＰＡＰ機械は、寝室または他の寝るための区画で使用されることが多く、例えばナイトテーブル上に配置される。従って、ＣＰＡＰ機械の設置面積を低減することは望ましい。さらに、ナイトテーブルの上面の限定された空間を考慮すると、ＣＰＡＰ機械は、可能な限り壁の近くへ押されることが多い。
【０００４】
ＣＰＡＰ機械が使用される窮屈な空間のため、水槽等を密閉するために使用される蓋または他の構成要素の簡単な操作が望まれる。好ましくは、蓋または他のそのような構成要素は、ヒンジの周りを簡単に回転可能である。さらに好ましくは、ヒンジは、隣接する外側表面と概ね面一であるか、その中にのめり込むように構成される。さらにより好ましくは、ヒンジは、機械内の空気圧によって発生する力（例えば、概ね水平の蓋に対する垂直の力）に対抗する拘束を提供し、その一方、蓋が開放する間限度を超えて広げられるとき蓋の取外しを許容する。
【０００５】
さらに、水槽にアクセスする能力を改善するために、蓋は、使用者が片手で蓋をあけることができるように、好ましくはラッチ機構を支持する。換言すると、片手で、好ましくは１つの位置にある片手で、ラッチを操作可能であり、蓋を開けることができる。そのような構造は、ラッチを操作するために片手を必要とし、続けて蓋を上げるためにもう片方の手を必要とする構造に優る歓迎される改善である。
【課題を解決するための手段】
【０００６】
いくつかの構造では、呼吸補助装置は蓋および主要本体を含み、蓋および主要本体は選択的にキャビティを密閉する。蓋はボタン部材および少なくとも１つのヒンジアセンブリを含む。
【０００７】
いくつかの構造では、蓋はさらに、ボタン部材が押圧される間１つまたは複数の指の先端と係合されるように作られた構成要素を含む。
【０００８】
いくつかの構造では、ボタン部材は、少なくとも１つのヒンジアセンブリから外方へばね付勢される。
【０００９】
いくつかの構造では、少なくとも１つのヒンジアセンブリは、主要本体に対する蓋の回転移動を可能にする。
【００１０】
いくつかの構造では、ヒンジアセンブリは、少なくとも１つの柱および少なくとも１つの支持部を含み、支持部は柱にのしかかり、柱は蓋の外周の内側に位置付けられる。
【００１１】
好ましくは、ヒンジアセンブリは、柱の少なくとも軸方向長さに沿って延在するクリップを含み、クリップは、柱がクリップと支持部との間に捕捉されるように、柱の、支持部と反対の側に位置付けられる。
【００１２】
いくつかの構造では、少なくとも１つのヒンジアセンブリは、案内構造およびカム構造を含み、案内構造およびカム構造は、柱が回転する間、柱の滑り運動を引き起こすように構成される。
【００１３】
いくつかの構造では、案内構造は案内表面を含み、使用中、案内表面はカム構造と接触し、蓋の閉鎖移動の結果として柱の滑り運動を介して蓋を主要本体に対して取り外された状態から取り付けられた状態へ移動する。
【００１４】
好ましくは、滑り運動は、蓋が主要本体に対して切り離された状態から係合された状態へ移動されるときだけ起きる。
【００１５】
好ましくは、柱の滑り運動は、支持部が柱の上に少なくとも垂直に位置付けられ、蓋が閉鎖された位置にある状態で、実質的に水平である。
【００１６】
いくつかの構造では、少なくとも１つの支持部は開口部を画定し、開口部は、使用中、蓋を主要本体に対して取り外された状態から取り付けられた状態へ移動させることができるように、少なくとも１つの柱が開口部を通過することを許容する。
【００１７】
いくつかの構造では、呼吸装置の蓋を開放する方法は、蓋をラッチ解除するためにボタン部材を係合構成要素の方へ移動させるステップと、続いて、使用者が手の位置を変える必要なく蓋を開放位置へ回転させるステップとを含む。
【００１８】
いくつかの構造では、蓋を呼吸装置の主要本体に係合する方法は、蓋が開放位置にある状態で柱を少なくとも１つの支持部材と平行に配置するステップと、蓋を閉鎖位置の方へ回転させるステップであって、その結果、蓋に形成された少なくとも１つの係合構造と、主要本体に形成された少なくとも１つの係合構造とにより蓋は係合された構造にされ、ここで蓋は係合された構造であるが回転可能な状態であるステップとを含む。
【００１９】
本発明のこれらおよび他の特徴、態様および利点を、以下の図面を参照して記載する。
【図面の簡単な説明】
【００２０】
【図１】本発明の特定の特徴、態様および利点に従い配置かつ構成された呼吸補助装置の後方斜視図である。
【図２】蓋が閉鎖位置にある、図１の呼吸補助装置のヒンジの拡大された後方上面斜視図である。
【図３】図２のヒンジの拡大された前方斜視図であり、蓋を開放位置で示す。
【図４】図２のヒンジの断面斜視図であり、蓋を部分的に閉鎖された位置で示す。
【図５】図１の呼吸補助装置の蓋の前方斜視図であり、蓋は本発明の特定の特徴、態様および利点に従い配置かつ構成されている。
【図６】図５の蓋のラッチ部材の後方底部斜視図である。
【図７】蓋に組み付けられた状態で示される、図６のラッチ部材の後方底部斜視図である。
【図８Ａ】開放から閉鎖までのいくつかの位置にある図２のヒンジの案内構造の側面図である。
【図８Ｂ】開放から閉鎖までのいくつかの位置にある図２のヒンジの案内構造の側面図である。
【図８Ｃ】開放から閉鎖までのいくつかの位置にある図２のヒンジの案内構造の側面図である。
【図８Ｄ】開放から閉鎖までのいくつかの位置にある図２のヒンジの案内構造の側面図である。
【発明を実施するための形態】
【００２１】
図１は、本発明の特定の特徴、態様および利点に従い配置かつ構成された呼吸補助装置１００を示す。装置１００は、主要本体１０２および蓋１０４を含む。主要本体１０２および蓋１０４は一緒にハウジング１０６を画定し、ハウジング１０６は、容器、槽、タンクまたは他の液体本体（不図示）をキャビティ内に密閉する、または全体的に包み込む。
【００２２】
示されている本体１０２は、少なくとも１つの外側表面１１０を含む。示されている構造では、本体１０２は、４つの概ね平坦な外側表面１１０を含み、それらは丸い角１１２で接続される。他の構造が可能である。
【００２３】
蓋１０４はヒンジアセンブリ１１４で本体１０２に接続される。示される構造では、蓋１０４は２つのヒンジアセンブリを使用して主要本体１０２の後部に接続される。蓋１０４は他の表面に接続可能である。さらに、蓋１０４は、わずか１つのヒンジアセンブリ１１４、または２つより多いヒンジアセンブリ１１４を使用して主要本体１０２に接続可能である。好ましくはヒンジアセンブリ１１４は、蓋１０４が閉鎖した状態で（例えば図１に示されるように）、ヒンジアセンブリ１１４が概ね後部外側表面１１０と面一になるかその中にのめり込むように構成される。いくつかの構造では、ヒンジアセンブリ１１４は、ヒンジアセンブリが後部外側表面１１０の後方に突出しないように構成される。いくつかの構造では、ヒンジ特徴部のいくつかは、後部外側表面の１つまたは複数の周囲表面、または装置の他の周囲部分からほんのわずか突出してもよい。いくつかの構造では、蓋１０４は外周面１１６を含み、ヒンジアセンブリ１１４は、蓋１０４の外周面１１６の外方に実質的に突出しない。
【００２４】
図２を参照すると、ヒンジアセンブリ１１４は、少なくとも１つの柱１２０および少なくとも１つの支持部１２２を含む。好ましくは、少なくとも１つの柱１２０は、柱が蓋の外周面１１６の内側にのめり込みかつ位置付けられるように取り付けられる。示される構造は、２つの支持部１２２に接続される１つの柱１２０を含む。いくつかの構造では、少なくとも１つの柱１２０は蓋１０４に取り付けられ、その一方、少なくとも１つの支持部１２２が主要本体１０２に取り付けられる。いくつかの構造では、少なくとも１つの柱１２０は主要本体１０２に取付け可能であり、その一方、少なくとも１つの支持部１２２が蓋１０４に取付け可能である。
【００２５】
少なくとも１つの柱１２０は、１つまたは複数のスタンドオフ（ｓｔａｎｄｏｆｆ）１２４を使用して蓋１０４に固定可能である。示される構造では、スタンドオフ１２４は２つの支持部１２２の間に位置付けられる。スタンドオフは支持部１２２の領域において柱１２０の撓みを低減する。いくつかの構造では、スタンドオフ１２４の間に延びる柱１２０の部分１２６は省略可能である。しかしながら、示される構造では、柱１２０の部分１２６はクリップ１３０によって固定可能である。クリップ１３０は、柱１２０を収容する凹部または他のいずれか適切な構造を有することができる。
【００２６】
示される構造においてクリップ１３０によって柱１２０に生成される力は、例えば、支持部１２２によって生成される力によって対向される。クリップ１３０は、支持部１２２と柱１２０の間の接触領域に関して柱１２０の反対側と接触可能である。いくつかの構造では、クリップ１３０は、柱１２０とクリップ１３０を組み立てる間、柱１２０から離れて曲がるように構成可能である。例えば、クリップ１３０は、主要本体１０２から後方に延びる可撓性フィンガであることができる。支持部１２２は、柱１２０の周囲面の少なくとも一部を受け入れる後方に開口する開口部を画定する凹部を有することができる。従って、矢印で示される方向における柱１２０の移動の結果、支持部１２２およびクリップ１３０に対する柱１２０の取付けおよび取外しがもたらされ得る。また、支持部１２２の後方に開口する開口部は、柱１２０にのしかかる構造をもたらし、その結果、柱１２０が支持部１２２の開口部内に完全に受け入れられているので支持部１２２に対する柱１２０の垂直移動は不可能である。従って、治療の間、蓋１０４が主要本体１０２から分離する可能性は低い。
【００２７】
図３を参照すると、蓋１０４および主要本体１０２は、柱１２０およびクリップ１３０および支持部１２２を接続するように案内する構成を含むことができる。いくつかの構造では、この構成により、蓋１０４が主要本体１０２上で閉鎖位置の方へ移動されるとき、少なくとも１つの柱１２０が支持部１２２の開口部へ移動し、およびクリップ１３０と係合することが容易になる。示される構造では、２つの案内構造１４０が２つの支持部１２２の外側に位置付けられている。他の構造も可能である。
【００２８】
図４を参照すると、案内構造１４０は、カム構造１４４を受け入れる凹部１４２を含む。カム構造１４４は、蓋１０４が主要本体１０２上で完全に閉鎖された位置へ移動された状態で、カム構造１４４が蓋１０４が完全に閉鎖することを邪魔しないように、凹部１４２内に受け入れられる。カム構造１４４は、カム構造１４４の厚さが後部から前部まで増大するように傾斜表面１４６によって先端に向かってテーパする一方、案内構造は対向表面１５０を有する。傾斜表面１４６および対向表面１５０は互いに係合し、その結果、傾斜表面１４６および対向表面１５０は、蓋１０４が少なくとも部分的に閉鎖された位置にあるとき、主要本体１０２に対する蓋１０４の取外し方向（図２参照）の移動に抵抗する。
【００２９】
さらに、蓋１０４が閉鎖位置（例えば図１）に回転されるとき、傾斜表面１４６および対向表面１５０は、蓋１０４を前方へ引き、取付位置へ位置付けるように作用する（例えば、少なくとも１つの柱１２０が支持部１２２およびクリップ１３０に接続される）。従って、蓋１０４の回転の結果、ヒンジアセンブリ１１４は取り外された状態から動作可能に接続されることができる。いくつかの構造では、初期接触から完全閉鎖までの傾斜表面１４６および対向表面１５０の厚さの差は、柱１２０の外側表面および支持部１２２との第１の接触部からの距離と実質的に同じであり、その結果、傾斜表面１４６および対向表面１５０がそれらの長さに沿って完全係合するように移動するとき、柱１２０は支持部１２２およびクリップ１３０内の位置へ引かれる。
【００３０】
特に、蓋１０４が主要本体１０２に対して開放位置（例えば図３）にある状態で、十分な空間が傾斜表面１４６と対向表面１５０との間に存在し、その結果、蓋１０４は力を適用することによって主要本体１０２から分離することができる。有利には、そのような構成により、柱１２０を支持部１２２およびクリップ１３０から切り離すことによって蓋１０４および主要本体１０２の間の分離が可能になる。そのような分離は、蓋をあけ過ぎることによって発生する力、または装置１００の起こり得る誤用から発生する損傷から装置１００を保護することができる。従って、蓋１０４を主要本体１０２から分離する能力は、装置１００を永久的な損傷から保護することができる。上で考察したように、蓋１０４は柱１２０を支持部１２２と平行に配置し、かつ蓋１０４を閉鎖位置へ回転させることによって簡単に再接続可能であり、回転の結果、カム構造１４４の傾斜表面１４６および案内構造の対向表面１５０は構成要素を一緒に引き戻す。
【００３１】
次に図５を参照して、蓋１０４の解放および把持アセンブリ１６０を記載する。示されるように、解放および把持アセンブリ１６０は、蓋１０４に取り付けられる少なくとも１つのボタン部材１６２を含む。いくつかの構造では、ボタン部材１６２は、ヒンジアセンブリ１６２の方へおよびそれから離れる方へ移動するように取り付けられる。いくつかの構造では、ボタン部材１６２は、ヒンジアセンブリ１１４を有する蓋１０４の側に隣接する蓋１０４の側に沿って取付け可能である。示される構造では、ボタン部材１６２は、ヒンジアセンブリ１１４に関して蓋１０４の反対側に取り付けられ、ヒンジアセンブリ１１４の方へおよびそれから離れる方へ移動可能である。
【００３２】
ボタン部材１６２は図６に示される。ボタン部材は外側表面１６４を含み、これは図５に最もよく示されている。外側表面１６４は、指または親指と接触するのに十分に大きい。図５にも示されているように、蓋１０４は、蓋１０４を持ち上げるために使用される構成要素１６６を含むことができる。示される構造では、構成要素１６６は窪んだ領域であり、これは外側表面１６４と概ね平行に延びる壁１７０を有する。好ましくは、窪んだ領域１６６は、指の少なくとも先端を収容するのに十分に大きい。いくつかの構造では、構成要素１６６は、１つまたは複数のリップ、隆起部、突起、凹部などである。従って、構成要素１６６（例えば壁１７０を有する）および外側表面１６４は、簡単な絞り作用がボタン部材１６２の掛け外れならびに掴み作用の提供を達成することを可能にし、主要本体１０２から離れる蓋１０４の移動を可能にする。
【００３３】
再度図６を参照すると、示されるボタン部材１６２は２つの外側柱１７２を含む。柱１７２は、例えばおよび限定せずにばね等などの付勢部材と係合するように寸法決めされ、かつ構成される。柱１７２は、蓋１０４に形成される対応するハウジング１７４内に受け入れられる。ハウジング１７４は付勢部材を含むことができ、柱１７２は、付勢部材の付勢力に対抗してハウジング１７４に出入りするように滑動することができる。
【００３４】
示されるボタン部材１６２はまた、少なくとも１つのタブ１７６を含む。示される構造では、ボタン部材１６２は２つのタブ１７６を含む。タブ１７６は端部にかかり１８０を有するバヨネット状である。図７に示されるように、タブ１７６は蓋１０４に形成される構造１８２と係合することができる。従ってタブ１７６は、その構造と協働して、ボタン部材１６２が蓋１０４の凹部から出る可能性を低減し、一方でボタン部材１６２が蓋１０４に対して内側に押されることを許容する。
【００３５】
構造１８２はまた、ボタン部材１６２に取り付けられるかそこに形成されたフィンガ１８６を受け入れる通路１８４を含む。通路１８４は、大まかに言えば蓋１０４に対するボタン部材１６２の直線並進移動をもっぱら容易にする。換言すると、通路１８４はフィンガ１８６を受け入れ、フィンガ１８６は通路１８４によって実質的に直線状の移動に概ね制限される。
【００３６】
フィンガ１８６はロック用柱１９０を支持する。ロック用柱１９０は、主要本体１０２に形成された構造と係合することができる。いくつかの構造では、ロック用柱１９０は、主要本体１０２の内側表面に形成された構造と係合し、その結果、ボタン部材１６２を押圧することによりロック用柱１９０と、ロック用柱１９０が通常係合する前記構造との間に分離がもたらされる。ボタン部材１６２の解放により、付勢部材はロック用柱１９０をロック用柱１９０が通常係合する前記構造と再係合する位置に移動する。
【００３７】
図８Ａ〜８Ｄは、主要本体１０２に対するいくつかの位置で蓋１０４を示す。図８Ａは第１開放位置にある蓋１０４を示す。図８Ｂおよび８Ｃは、図８Ａの第１開放位置に対して徐々にさらに閉鎖される位置にある蓋１０４を示す。図８Ｄは閉鎖位置にある蓋１０４を示す。特に、図８Ａ〜８Ｄはさらに、蓋１０４が開放位置から閉鎖位置へ移動するときの、カム構造１４４の傾斜表面、またはカム表面１４６と、蓋凹部１４２の対向表面（案内表面またはカムフォロワ表面とも呼ばれる）１５０との相互作用を示す。本明細書に記載されるように、カム構造１４４および凹部１４２は、蓋１０４が開放位置から閉鎖位置へ移動されるとき、蓋１０４を、主要本体１０２に対して取り外された位置から、主要本体１０２に対して取り付けられた位置へ移動するように相互作用することができる。
【００３８】
本明細書に記載されるように、支持部１２２は開口部２０２を含む凹部２００を含み、開口部２０２は示される構成では後方に開口する。好ましくは、凹部２００は細長い形状であり、全体的に前後方向に延在する。示される構成では、凹部２００は全体的にまたは実質的に水平であるか、主要本体１０２の底部支持表面と整列され、その結果、凹部２００は、装置１００が平坦表面に置かれるとき、全体的にまたは実質的に水平である。凹部２００は上側および下側案内表面２０４を含み、それらは開口部２０２から端部表面２０６まで前方に延在する。本明細書に記載されるように、支持部１２２はまた、蓋１０４を主要本体１０２から分離する傾向のあるハウジング１０６内の力（例えば内側圧力によりもたらされる力）に応答して蓋１０４を主要本体１０２に保持することを補助する。従って、端部表面２０６の上側部分および／または上側案内表面２０４は、柱１２０と接触する保持表面を形成可能であり、蓋１０４を主要本体１０２から分離する傾向のある力に応答して、蓋１０４、または支持部１２２および／またはヒンジ１１４に近い蓋１０４の少なくとも一部（例えば後方部分）を、主要本体１０２に保持する。
【００３９】
示される構成では、端部表面２０６は、側面からの形状において湾曲され（例えば半円形）、上側案内表面２０４および下側案内表面２０４と接続する。示される支持部１２２は、横方向すなわち側面から側面へ向かう方向において細長く、従って、３次元の実質的に半円筒形状を画定する。しかしながら便宜上、ヒンジ１１４、案内構造１４０およびカム構造１４４は、本明細書中、図８Ａ〜８Ｄの側面図の文脈において、２次元の用語で記載することができる。記載される構造はまた、装置１００に対して幅寸法を、すなわち図８Ａ〜８Ｄの側面図に対して深さ寸法を有することも認識される。
【００４０】
示される端部表面２０６は、中心点２１０（すなわち３次元における軸）からの半径２０８を有する曲線によって画定される。凹部２００は長手軸２１２を有することができ、長手軸２１２は、概ね開口部２０２から端部表面２０６まで凹部２００の長さに沿って延在し、示される構造では、中心点２１０を通って延びる。軸２１２は、上側および下側案内表面２０４の１つまたは両方と整列されることができるかそれらと平行であることができ、または（例えばおよび限定せずに、テーパした凹部の場合など）案内表面２０４間の中心に位置付け可能である。示される構造では、軸２１２は、全体的にまたは実質的に水平（すなわち主要本体１０２の底面と平行）である。しかしながら他の構造では、軸２１２は非水平、すなわち主要本体１０２の底面に対して傾けられてもよい。
【００４１】
本明細書に記載されるように、柱１２０は好ましくは円筒状の形状である、すなわち図８Ａ〜８Ｄに示されるように側面から見て円形の形状である。柱１２０は中心点２１４（すなわち３次元の軸）および半径２１６を決定する。好ましくは、柱１２０の半径２１６は、端部表面２０６の半径２０８と実質的に等しく、その結果、柱１２０は、端部表面２０６に対してぴったりと位置付け可能であり、また中心点２１０、２１４が実質的に互いに整列した状態で、すなわち同軸である状態で、凹部２００内で垂直方向に制限可能である。
【００４２】
好ましくは、カム構造１４４のカム表面または傾斜表面１４６は、蓋１０４が開放位置から閉鎖位置の方へ移動されるとき、柱１２０が凹部２００の軸２１２に沿って端部表面２０６の方へ移動されるように、端部表面２０６および／または中心点２１０に対して位置付けられる、または方向付けられる。示される構成では、第１の距離２２０が、傾斜表面１４６の第１地点または位置２２２と、中心点２１０との間に定められ、第２の距離２２４が、傾斜表面１４６の第２地点または位置２２６と、中心点２１０との間に定められる。好ましくは、第１地点２２２は傾斜表面１４６の初期部分に位置付けられ、第２地点２２６は傾斜表面１４６の後続部分に位置付けられ、その結果、対向表面１５０は、蓋１０４が開放位置から閉鎖位置へ移動されるとき、第２地点２２６の前に第１地点２２２と接触する。第１地点２２２は、蓋１０４が閉鎖する間、対向表面１５０によって最初に接触される位置であるかその近くであることができ、第２地点２２６は、蓋１０４が閉鎖位置にあるとき、対向表面１５０によって接触される傾斜表面１４６に沿ったさらに遠い位置であるかその近くであることができる。第１の距離２２０は好ましくは第２の距離２２４より短く、その結果、蓋１０４が開放位置から閉鎖位置へ移動されるとき、および対向表面１５０が傾斜表面１４６に沿って第１地点２２２から第２地点２２６に向かう方向に移動するとき、凹部２００の軸２１２に沿った柱１２０の移動が引き起こされる。
【００４３】
蓋１０４が好ましくは閉鎖されたとき凹部２００内で柱１２０の中心点２１４によって移動された距離２２８は、第２距離２２４と第１距離２２０の間の距離２３０に実質的に等しい。距離２２８は凹部２００の全長未満であることができる。案内構造１４０によって端部表面２０６に引かれる前、柱１２０を凹部２００内に少なくとも部分的に位置付けすることができるためである。他の構成では、距離２２８は凹部２００の長さと実質的に等しくてもよい。すぐ上に記載した距離は中心点２１０および２１４に関連しているが、距離は同様に、所望なら、非円形（すなわち非円筒）の凹部または柱の形状の文脈においてなど、それぞれ凹部２００（例えば端部表面２０６）および柱１２０上の位置の他の地点に対して測定されてもよい。
【００４４】
図８Ａは、主要本体１０２に対して第１開放位置にある蓋１０４を示し、第１開放位置は、蓋１０４の再取付プロセスを開始するときなど、完全に開放した位置であり得る。示されるように、対向表面１５０は、蓋１０４の後方移動（例えば取外し）か許容されるように、傾斜表面１４６から離されている。有利には、そのような構成により、蓋１０４に適用される過剰な開放力によって発生する永久的な損傷の可能性が低減される。図８Ｂは、第２開放位置にある蓋１０４を示し、第２開放位置は図８Ａの第１開放位置との関連においてさらに閉鎖位置の方にある。図８Ｂにおいて、対向表面１５０は傾斜表面１４６から離れたままである。すなわち、対向表面１５０の底部と傾斜表面１４６の頂部との間に垂直方向の間隙が存在する。
【００４５】
図８Ｃは、第３開放位置にある蓋１０４を示し、第３開放位置は図８Ａおよび８Ｂの位置との関連において閉鎖位置にさらに向かっている。図８Ｃの位置において、対向表面１５０の先行部分または係合部分２３２は、傾斜表面１４６の初期部分と係合されるか接触し、第１地点または位置２２２にあるかその近くにあり得る。示される構成では、柱１２０は凹部２００の端部表面２０６から離間されている。図８Ｄは、図８Ａ〜８Ｃの位置よりもさらに閉鎖位置の方にある位置にある蓋１０４を示している。図８Ｄの位置は蓋１０４の完全閉鎖位置であり得る。示される構成では、対向表面１５０の少なくとも先行部分または係合部分２３２は、初期部分から離間された傾斜表面１４６の後続部分と係合されるか接触する。後続部分は第２地点または位置２２６にあるかその近くにあり得る。好ましくは、柱１２０は、図８Ｄの位置において端部表面２０６に対してぴったりと位置付けられる。従って、好ましくは、係合表面２３２と中心点２１４の間の距離は、好ましくは第２の距離２２４と実質的に等しい。
【００４６】
本明細書に記載されるように、図８Ａ〜８Ｄに示されるような案内構造１４０とカム構造１４４の相互作用は、蓋１０４の再取付または係合手順の間のみ発生し得る。通常の開放および閉鎖移動において、凹部２００内の柱１２０の滑動（または柱１２０の有意な滑動）は発生しない。有利には、そのような構成により、通常使用の間、構成要素間の滑り運動の量を低減することによって摩耗が低減される。しかしながら、他の構成が可能であり、この構成では、柱１２０の滑り運動は、蓋１０４を普通に開閉する間など、蓋１０４を係合する間だけよりも頻繁に発生する。
【００４７】
示される対向表面１５０は傾斜表面１４６と同様の寸法および形状を有し、蓋１０４が閉鎖位置にあるとき、傾斜表面１４６の実質的な部分に沿って延在するが、他の構成も可能である。例えば、対向表面１５０は、いずれか１つの位置において傾斜表面１４６の一地点または短い長さとだけ接触する係合部分２３２を画定する、カムフォロワ表面などのより小さい表面であってもよい。係合部分２３２は、所望なら傾斜表面１４６に沿って回るように回転可能であってもよい。さらに、本明細書で開示されるように、示される構成は逆転されてもよく、その結果、カム表面または傾斜表面１４６が蓋１０４によって支持され、対向表面１５０（または係合部分２３２を有するカムフォロワ）が主要本体１０２によって支持される。
【００４８】
文脈上明白に他の意味に解釈すべき場合を除いて、本記載および請求項を通して、用語「含む（ｃｏｍｐｒｉｓｅ）」、「含む（ｃｏｍｐｒｉｓｉｎｇ）」等は、排他的または網羅的な意味ではなく、包括的な意味に、すなわち、「を含むがそれらに限定されない」という意味に解釈すべきである。
【００４９】
本明細書におけるいずれの従来技術への言及も、その従来技術が世界のいずれかの国の努力傾注分野における共通の一般知識の一部を形成するということの承認でもなければ、そのようなことを示唆するいかなる形態でもなく、また、そのようなものとして解釈すべきでない。
【００５０】
本発明はまた、個々にまたは集合的に本出願の明細書に言及または示された部品、要素および特徴の、前記部品、要素または特徴の２つ以上のいずれかまたは全ての組合せに存するように、幅広く記載することができる。
【００５１】
前述の記載において、整数またはその既知の等価物を有する構成要素に言及した場合、それら整数は個々に記載されるかのように本明細書に組み込まれる。
【００５２】
本明細書に記載した現在好ましい実施形態に対する様々な変更および修正が当業者には明らかになることに留意されたい。そのような変更および修正は、本発明の趣旨および範囲から逸脱することなく、またその付帯する利点を減少することなく、実行可能である。従って、そのような変更および修正は本発明の範囲内に含まれることが意図される。
【図１】
2020127783.tif 000003
【図２】
2020127783.tif 000004
【図３】
2020127783.tif 000005
【図４】
2020127783.tif 000006
【図５】
2020127783.tif 000007
【図６】
2020127783.tif 000008
【図７】
2020127783.tif 000009
【図８Ａ】
2020127783.tif 000010
【図８Ｂ】
2020127783.tif 000011
【図８Ｃ】
2020127783.tif 000012
【図８Ｄ】
2020127783.tif 000013
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
蓋および主要本体を含み、前記蓋および前記主要本体が選択的にキャビティを密閉し、前記蓋がボタン部材および少なくとも１つのヒンジアセンブリを含む、呼吸補助装置。
【外国語明細書】
2020127783000001.pdf